(57)【要約】【課題】本発明は、老人、足の不自由な人の車両との乗降性を向上させるために補助ステップに昇降機能を有する機構を採用し、乗降性を著しく向上させ、機構の可及的コンパクト化を図り格納ボックスに格納可能な車両用乗降補助ステップ装置の提供にある。  【解決手段】床面が比較的高所に設定されるバス、ワンボックス等の車両の床下の下方に配備され、側外方へ出没する車両用乗降補助ステップ装置において、補助ステップを、スライダーに軸支されて回転自在のアッパーアームと、同じくスライダーに軸支されて回転自在のロアアームによって常時、ステップ面を所要角度面に支承され、スライダーの出没移動により昇降と停止を行う車両用乗降補助ステップ装置。【選択図】図１
2006232171.tif 000002
【特許請求の範囲】
【請求項１】
床面が比較的高所に設定されるバス、ワンボックス等の車両の床下の下方に配備され、側外方へ出没する車両用乗降補助ステップ装置において、補助ステップを、スライダーに軸支されて回転自在のアッパーアームと、同じくスライダーに軸支されて回転自在のロアアームによって常時、ステップ面を所要角度面に支承され、スライダーの出没移動により昇降と停止を行う車両用乗降補助ステップ装置。
【請求項２】
前記スライダーは、車両の床下外方に取付けた格納ボックスにおいて、平面状の底板部の内側に、左右に平行に対応して配備されたベースレール上を前後方向へ移動する移動機構により移動し、スライダーを格納ボックスの入口側に最大移動した状態で、アッパーアーム及びロアアームは、最大限外方に繰出され、アッパーアームの基端部より適所に配備したアームローラーが嵌合する昇降ガイドレールの傾斜部における最前端に位置し、アッパーアームの基端部を支承する回転軸は、その回転軸を中心に回動し、アッパーアームの先端部を繰出し、かつ降下させ、ロアアームも、基端部を支承する回転軸は、その回転軸を中心に回動し、ロアアームの先端部を繰出し、かつ降下させ、それぞれ支軸で軸支する補助ステップを最大限、車両の側外方に繰出すように構成してなる請求項１の車両用乗降補助ステップ装置。
【請求項３】
前記スライダーは、左右に側板部を有し、そのそれぞれの外側に前記アッパーアームの回転軸とロアアームの回転軸の軸受部を具備し、また左右に配備したベースレールに遊嵌合するローラーを前後に回転自在に軸支して具備し、左右のベースレールに沿ってスライド自在に配備され、移動機構に連繋されてなる請求項１または請求項２の車両用乗降補助ステップ装置。
【請求項４】
前記移動機構は、駆動モーターと連動する駆動ピニオンの回転が出力ピニオンに伝達され、出力ピニオンはスクリュウシャフトと連動し、駆動モーターの動力がスクリュウシャフトに伝達され、スクリュウシャフトの回転によってスライダーに固定されているチエンジナットに動力が伝達され、スライダーの前後方向の往復移動を可能にしてなる請求項３の車両用乗降補助ステップ装置。
【請求項５】
補助ステップに、ヒンジプレートにより補助ステップの後端に起伏自在に軸支するともに常時所要角度に起立するようにバネにて付勢され、格納ボックスの出入口に配備した樹脂プレートに格納移動により衝突させて足挟み防止板を完全に折畳まれて省スペースにて収納できるように設けてなる請求項１、請求項２、請求項３または請求項４の車両用乗降補助ステップ装置。
【発明の詳細な説明】
【技術分野】
【０００１】
本発明は、昇降機能を具えた車両用乗降補助ステップ装置に関するものである。
【背景技術】
【０００２】
従来のバス、ワンボックス車両等の車室床面の高い車両において、最終段の下方に補助ステップを配備するが、その車両用乗降補助ステップは、第１に、特開平４−３３９０４１号公報に開示される如く、車両の乗降口の固定ステップの下方に補助ステップを側外方に出没自在に支架し、必要昇降時に補助ステップを固定ステップの下方側に繰出し、利用できるようにしたものである。すなわち、固定ステップ６に二本のリンク７ａ、７ｂを左右に対応させて配置し、一方側の右側リンクの後側リンク７ｂに、該リンクと一体的に回動する第１レバーが取付けられ駆動源となるロッド９が連結されているものがある。
第２に、特開平５−１４７４７２号公報に開示される如く、車両の床面より低い固定ステップを乗降口に備えたものにおいて、該固定ステップの面上と、固定ステップ面と床面に接続する壁面に開口をもつ格納部とにＬ字型の補助ステップの一部を差入れ、一部を固定ステップ上面と対面させて格納する引出型の補助ステップ装置、すなわち、固定ステップ上には内外方向へ延び、且つ該補助ステップ２０を内外方向へ進退自在に支持するガイド溝１２を形成し、補助ステップ２０は、Ｌ字型で基端部をガイド溝１２内に進退自在に支持されたアーム１７と、アーム１７の先端部から屈曲して突出した板状の補助ステップ片１６とから成り、カイド溝１２の外側寄りの適所には一段低い段差が設けられ、アーム基端部が段差部に位置した時に、基端部を中心とて補助ステップ２０の全体が回動して補助ステップ片部１６が乗降口の外部下方に突出するもの等がある。
【特許文献１】特開平４−３３９０４１号公報
【特許文献２】特開平５−１４７４７２号公報
【発明の開示】
【発明が解決しようとする課題】
【０００３】
前記第１の特開平４−３３９０４１号公報に開示される補助ステップは、必要時に車両の床下の下方から側外方に繰出し、その繰出し位置に補助ステップを固定配置するだけあるから、補助ステップの機能に問題があり、老人、足の不自由な人は容易に昇降することはできなかった。
【０００４】
前記第２の特開平５−１４７４７２号公報に開示される補助ステップにおいても、補助ステップの格納位置と、収納通路機構に関するものであり、設定される補助ステップは、格納位置から繰出し、定位置に配備するものであり、同じく、補助ステップの機能に問題があり、老人、足の不自由な人は容易に昇降することはできなかった。
【０００５】
また、前記第１、第２の従来の固定的補助ステップは、老人、足の不自由な人にとっては、装備される補助ステップの段の地上から踏み込む高さ、また、地上におりる高さが十分に低いと言えないものであった。
【０００６】
本発明の車両用乗降補助ステップ装置は、老人、足の不自由な人の車両との乗降性を向上させるために補助ステップに昇降機能を有する機構を採用し、その固定位置を上下に調整して固定できると共に、昇降作動による乗降をも可能とし、また、補助ステップの停止位置を可及的に地面に近づけ、地上から足を掛ける第１歩の高さと、最後に地面に足を降ろす高さを十分に低くし、乗降性を著しく向上させ、さらに、従来の固定的補助ステップの下方に配備させるため、昇降および固定出段が必要とする上下幅を可及的コンパクト化を図り格納ボックスに格納可能を目的としてなされたものである。
【課題を解決するための手段】
【０００７】
床面が比較的高所に設定されるバス、ワンボックス等の車両の床下の下方に配備され、側外方へ出没する車両用乗降補助ステップ装置において、補助ステップを、スライダーに軸支されて回転自在のアッパーアームと、同じくスライダーに軸支されて回転自在のロアアームによって常時、ステップ面を所要角度面に支承され、スライダーの出没移動により昇降と停止を行う車両用乗降補助ステップ装置にある。
【０００８】
前記スライダーは、車両の床下外方に取付けた格納ボックスにおいて、平面状の底板部の内側に、左右に平行に対応して配備されたベースレール上を前後方向へ移動する移動機構により移動し、スライダーを格納ボックスの入口側に最大移動した状態で、アッパーアーム及びロアアームは、最大限外方に繰出され、アッパーアームの基端部より適所に配備したアームローラーが嵌合する昇降ガイドレールの傾斜部における最前端に位置し、アッパーアームの基端部を支承する回転軸は、その回転軸を中心に回動し、アッパーアームの先端部を繰出し、かつ降下させ、ロアアームも、基端部を支承する回転軸は、その回転軸を中心に回動し、ロアアームの先端部を繰出し、かつ降下させ、それぞれ支軸で軸支する補助ステップを最大限、車両の側外方に繰出すように構成し、車両用乗降補助ステップ装置としてもよいものである。
【０００９】
前記スライダーは、左右に側板部を有し、そのそれぞれの外側に前記アッパーアームの回転軸とロアアームの回転軸の軸受部を具備し、また左右に配備したベースレールに遊嵌合するローラーを前後に回転自在に軸支して具備し、左右のベースレールに沿ってスライド自在に配備され、移動機構に連繋して構成し、車両用乗降補助ステップ装置としてもよいものである。
【００１０】
前記移動機構は、駆動モーターと連動する駆動ピニオンの回転が出力ピニオンに伝達され、出力ピニオンはスクリュウシャフトと連動し、駆動モーターの動力がスクリュウシャフトに伝達され、スクリュウシャフトの回転によってスライダーに固定されているチエンジナットに動力が伝達され、スライダーの前後方向の往復移動を可能に構成し、車両用乗降補助ステップ装置としてもよいものである。
【００１１】
補助ステップに、ヒンジプレートにより補助ステップの後端に起伏自在に軸支するともに常時所要角度に起立するようにバネにて付勢し、格納ボックスの出入口に配備した樹脂プレートに格納移動により衝突させて足挟み防止板を完全に折畳まれて省スペースにて収納できるように設けて構成し、車両用乗降補助ステップ装置としてもよいものである。
【発明の効果】
【００１２】
この発明の車両用乗降補助ステップ装置は、昇降作動中に利用者が乗り続けることを可能として乗降性を向上させている。
【００１３】
補助ステップの昇降出段が固定的位置の高さ調整手段と機能としても利用できる。
【００１４】
補助ステップ装置は、昇降を補助ステップの進退によりアッパーアームとロアアームを前後移動してでき、僅かな前後で、大きな昇降をすることができるになり、補助ステップ装置のコンパクト化ができ、しかも、全体をコンパクト化した機構を格納ブックスに格納することにより、車両の床下に設備することができ、また、その悪環境に対処できるものとなったのである。
さらに、補助ステップは、地面に近い高さまで、容易に降下およびその位置から所要高さまで昇降させ、乗車者を補助ステップの高さを著しく低く構成できる。
【００１５】
補助ステップの作動か進退作動であるから、足踏み防止板を配備し安全を確保している。
【発明を実施するための最良の形態】
【００１６】
床面が比較的高所に設定されるバス、ワンボックス等の車両の床下の下方に配備され、側外方へ出没する車両用乗降補助ステップ装置において、補助ステップを、スライダーに軸支されて回転自在のアッパーアームと、同じくスライダーに軸支されて回転自在のロアアームによって常時、ステップ面を所要角度面に支承され、前記スライダーは、車両の床下外方に取付けた格納ボックスにおいて、平面状の底板部の内側に、左右に平行に対応して配備されたベースレール上を前後方向へ移動する移動機構により移動し、スライダーを格納ボックスの入口側に最大移動した状態で、アッパーアーム及びロアアームは、最大限外方に繰出され、アッパーアームの基端部より適所に配備したアームローラーが嵌合する昇降ガイドレールの傾斜部における最前端に位置し、アッパーアームの基端部を支承する回転軸は、その回転軸を中心に回動し、アッパーアームの先端部を繰出し、かつ降下させ、ロアアームも、基端部を支承する回転軸は、その回転軸を中心に回動し、ロアアームの先端部を繰出し、かつ降下させ、それぞれ支軸で軸支する補助ステップを最大限、車両の側外方に繰出すように構成し、前記スライダーは、左右に側板部を有し、そのそれぞれの外側に前記アッパーアームの回転軸とロアアームの回転軸の軸受部を具備し、また左右に配備したベースレールに遊嵌合するローラーを前後に回転自在に軸支して具備し、左右のベースレールに沿ってスライド自在に配備され、移動機構に連繋され、前記移動機構は、駆動モーターと連動する駆動ピニオンの回転が出力ピニオンに伝達され、出力ピニオンはスクリュウシャフトと連動し、駆動モーターの動力がスクリュウシャフトに伝達され、スクリュウシャフトの回転によってスライダーに固定されているチエンジナットに動力が伝達され、スライダーの前後方向の往復移動を可能にし、補助ステップに、ヒンジプレートにより補助ステップの後端に起伏自在に軸支するともに常時所要角度に起立するようにバネにて付勢され、格納ボックスの出入口に配備した樹脂プレートに格納移動により衝突させて足挟み防止板を完全に折畳まれて省スペースにて収納できるように設けてなる車両用乗降補助ステップ装置。
【実施例】
【００１７】
以下、本発明の車両用乗降補助ステップ装置を、その実施の一例である図面に示す車両用乗降補助ステップ装置１より説明すると、車両用乗降補助ステップ装置１における補助ステップ２は、スライダー３に軸支されて回転自在のアッパーアーム４と、同じくスライダー３に軸支されて回転自在のロアアーム５によって支承されている。
【００１８】
スライダー３は、図１、図２及び図６に示すように、車両６の床下外方に取付けた格納ボックス７において、平面状の底板部７ａの内側に、左右に平行に対応して配備されたベースレール８（右側は図面上省略）上をＸ１の方向と、Ｘ２の方向、すなわち、前後方向へ移動機構９により移動し、いま、図１、図２及び図６では、スライダー３を格納ボックス７の入口７ｂ側に最大移動した状態であり、アッパーアーム４及びロアアーム５は、最大限外方に繰出されており、アッパーアーム４の基端部より適所に配備したアームローラー１０が嵌合する昇降ガイドレール１１の傾斜部１１ａにおける最前端に位置し、アッパーアーム４の基端部４ａを支承する回転軸１２は、スライダー３にあるから、その回転軸１２を中心に回動しており、アッパーアーム４の先端部４ｂを繰出し、かつ降下させており、また、ロアアーム５も、基端部５ａを支承する回転軸１３は、同じくスライダー３にあるから、その回転軸１３を中心に回動しており、同じくロアアーム５の先端部５ｂを繰出し、かつ降下させており、それぞれ支軸１４、１５で軸支する補助ステップ２を、図１、図２及び図６に示す位置に繰出し、降下しているのである。
【００１９】
この補助ステップ２を最大限、繰出し、降下した位置から、移動機構９を作動させ、Ｘ２方向、すなわち後方へスライダー３を移動すると、アッパーアーム４とロアアーム５は、格納ボックス７内に引き込まれる。そこで、アッパーアーム４は、軸受される回転軸１２を中心に、アームローラー１０が昇降ガイドレール１１の傾斜部１１ａによって押し上げられて回動し、補助ステップ２を格納ボックス７への引き込み移動と、上昇移動を行うものである。この作動時にリンク機構の原理により補助ステップ２は上面を水平に維持しているのである。
【００２０】
スライダー３がＸ２方向（格納方向）へ向かってさらに移動すると、補助ステップ２さらに上昇し、図３に示す高さに補助ステップ２が達すると、アームローラー１０が昇降ガイドレール１１の水平部１１ｂに至り、アームローラー１０の軸心とスライダー３へ軸支する回転軸１２の軸心との相対角が０となるので、アッパーアーム４の回動を停止し、補助ステップ２の上昇を停止する。
【００２１】
前記スライダー３は、左右に側板部３ａ（右は図面上省略）を有し、そのそれぞれの外側に前記アッパーアーム４の回転軸１２とロアアーム５の回転軸１３の軸受部を具備し、また左右に配備したベースレール８（右は図面上省略）に遊嵌合するローラー１６ａ、１６ｂを前後に回転自在に軸支して具備し、左右のベースレール８に沿ってスライド自在に配備され、また、移動機構９に連繋している。
【００２２】
前記移動機構９は、駆動モーター１７と連動する駆動ピニオン１８の回転が中間ギヤ１９を介して出力ピニオン２０に伝達される。出力ピニオン２０はスクリュウシャフト２１と連動しているため、駆動モーター１７の動力がスクリュウシャフト２１に伝達される。スクリュウシャフト２１の回転によってスライダー３に固定されているチエンジナット２２に動力が伝達され、スライダー３のＸ１方向およびＸ２方向の往復移動を可能にする。
【００２３】
スライダー３に左右に回転自在に軸受された連繋シャフト２３の左右端に取付られたピニオン２４（右は図面上省略）と噛合するラック２５（右は図面上省略）を配備し、ピニオン２４とラック２５との噛み合いによってチエンジナット２２を中心とする移動のズレを補正している。また、左右の偏荷重によるスライダー３の左右の移動誤差を同調により抑えるものである。
よって、スライダー３はＸ１方向とＸ２方向の前後方向において平行に移動する。
【００２４】
補助ステップ２の昇降作動中に足を挟む危険性を回避するために足挟み防止板２６を補助ステップ２に設定している。足踏み防止板２６は、ヒンジプレート２７により補助ステップ２の後端２ａに起伏自在に軸支するともに常時所要角度に起立するようにバネ（図示ない）にて付勢し、格納ボックス７の出入口７ｂに配備した樹脂プレート２８に、図４に示すように格納移動により衝突させて足挟み防止板２６は完全に折畳まれて省スペースにて収納できるように設けている。２９は路面（地面）である。
【００２５】
本発明の車両用乗降補助ステップ装置は、前述のように構成されるから、図５に示すように、車両６の床面６ａに例えば、ステップ３０を具えているものでは、そのステップ３０に対して補助ステップとして機能し、路面２９からステップ３０に上がるには無理があるため、その中間に補助ステップ２を配備し、必要時に、その補助ステップ２を格納ボックス７より出入し、路面との間で昇降と停止を自在にして、固定補助ステップ機能と昇降補助ステップ機能を併せて作用させることができる。
【産業上の利用可能性】
【００２６】
本発明の車両用乗降補助ステップ装置は、従来、バス、ワンボックスカー等の床面に高い車両において、見落とされていた老人、足の不自由な人の昇降についてより一層に親切な設備となるものである。
【図面の簡単な説明】
【００２７】
【図１】本発明の車両用乗降補助ステップ装置において、補助ステップを乗降のために外方に繰出した状態の一部切欠き全体平面図である。
【図２】本発明の車両用乗降補助ステップ装置において、補助ステップを乗降のために外方に繰出し、最低位置に降下した状態を示す一部切欠き左側断面図である。
【図３】同じく、補助ステップを乗降のために外方に繰出し、最上段位置に上昇した状態を示す一部切欠き左側断面図である。
【図４】同じく、補助ステップを乗降が終り、足挟み防止板を折畳み、補助ステップを内方に引き込み格納する状態を示す一部切欠き左側断面図である。
【図５】同じく、本発明の車両用乗降補助ステップ装置において、補助ステップを内方に格納した状態の一部切欠き全体側面図である。
【図６】同じく、補助ステップを乗降のために外方に繰出し、最低位置に降下した状態を示す一部切欠き右側断面図である。
【図７】図１のＡ−Ａ線に沿うモーターギヤボックスの出力軸とスラストネジ棒と伝動構造を示す説明図である。
【図８】図１のＢ−Ｂ線に沿う断面図である。
【符号の説明】
【００２８】
１  車両用乗降補助ステップ装置
２  補助ステップ
２ａ  後端
３  スライダー
４  アッパーアーム
４ａ  基端部
４ｂ  先端部
５  ロアアーム
５ａ  基端部
５ｂ  先端部
６  車両
６ａ  床面
７  格納ボックス
７ａ  底板部
７ｂ  出入口
８  ベースレール
９  移動機構
１０  アームローラー
１１  昇降ガイドレール
１１ａ  傾斜部
１１ｂ  水平部
１２  回転軸
１３  回転軸
１４  支軸
１５  支軸
１６ａ  ローラー
１６ｂ  ローラー
１７  駆動モーター
１８  駆動ピニオン
１９  中間ギヤ
２０  出力ピニオン
２１  スクリュウシャフト
２２  チエンジナット
２３  連繋シャフト
２４  ピニオン
２５  ラック
２６  足挟み防止板
２７  ヒンジプレート
２８  樹脂プレート
２９  路面
３０  ステップ
【図１】
2006232171.tif 000003
【図２】
2006232171.tif 000004
【図３】
2006232171.tif 000005
【図４】
2006232171.tif 000006
【図５】
2006232171.tif 000007
【図６】
2006232171.tif 000008
【図７】
2006232171.tif 000009
【図８】
2006232171.tif 000010